(57)【要約】      （修正有）【課題】適切なタイミングでリフレッシュを行うことが可能な電子ペーパーを提供する。【解決手段】電子ペーパー３は、表示部３１と、制御部３２とを有する。制御部３２は、表示部３１に表示されているページである現ページと現ページの次に表示されることが予測されるページとの差分である予測差分に基づいて、表示部をリフレッシュするか否かを判断する。【選択図】図３
2015187674.tif 000002
【特許請求の範囲】
【請求項１】
表示部と、
前記表示部に表示されているページである現ページと前記現ページの次に表示されることが予測される予測ページとの差分である予測差分に基づいて、前記表示部をリフレッシュするか否かを判断する制御部と、を有する電子ペーパー。
【請求項２】
前記制御部は、前記表示部に印加した電圧の累積値と、前記予測差分に応じた電圧とに基づいて、前記表示部をリフレッシュするか否かを判断し、前記現ページと、前記現ページの次に表示する次ページとの差分である実差分に応じた電圧を前記表示部に印加することで前記次ページを表示する、請求項１に記載の電子ペーパー。
【請求項３】
前記予測差分は、前記表示部の複数の画素のそれぞれにおける、前記現ページの画素値と前記予測ページの画素値との差分であり、
前記実差分は、前記表示部の複数の画素のそれぞれにおける、前記現ページの画素値と前記次ページの画素値との差分であり、
前記制御部は、各画素に対して、当該画素における前記実差分に応じた電圧を印加することで前記次ページを表示し、各画素に対して印加した電圧の前記画素ごとの累積値と、前記予測差分に応じた各画素の電圧である複数の予測電圧とに基づいて、前記表示部をリフレッシュするか否かを判断する、請求項２に記載の電子ペーパー。
【請求項４】
前記制御部は、前記複数の画素における前記累積値と前記予測電圧の和のいずれかが閾値以上である場合、前記表示部をリフレッシュすると判断する、請求項３に記載の電子ペーパー。
【請求項５】
前記制御部は、前記リフレッシュすると判断した後で、前記現ページの次のページを表示するタイミングになると、前記表示部をリフレッシュしてから前記次ページを表示する、請求項１ないし４のいずれか１項に記載の電子ペーパー。
【請求項６】
前記次ページとなることが予測されるページである予測ページを示す予測ページ情報を受信する受信部をさらに有し、
前記制御部は、前記受信部が受信した予測ページ情報に基づいて、前記予測差分を求める、請求項１ないし５のいずれか１項に記載の電子ペーパー。
【請求項７】
前記制御部は、前記表示部が表示したページごとに、当該ページの次に表示したページの情報を収集し、当該収集結果に基づいて、前記予測差分を求める、請求項１ないし５のいずれか１項に記載の電子ペーパー。
【請求項８】
前記制御部は、前記表示部がページを表示すると、当該ページが表示され続けることが予測される予測時間に応じた待機時間、スリープモードを実行する、請求項１ないし７のいずれかに記載の電子ペーパー。
【請求項９】
前記予測時間を示す予測時間情報を受信する受信部をさらに有し、
前記制御部は、前記予測時間情報に基づいて、前記待機時間を求める、請求項８に記載の電子ペーパー。
【請求項１０】
前記制御部は、前記表示部が表示したページごとに、当該ページが表示され続けた時間を収集し、当該収集結果に基づいて、前記待機時間を求める、請求項８に記載の電子ペーパー。
【請求項１１】
電子ペーパーに表示されたページごとに、当該ページの次に表示されたページの情報を収集したページ統計データを記憶する記憶部と、
前記ページ統計データに基づいて、所定のページの次に表示されることが予測されるページである予測ページを示す予測ページ情報を生成して送信する管理部と、を有する管理装置。
【請求項１２】
前記記憶部は、電子ペーパーに表示されたページごとに、当該ページが表示され続けた時間を収集した時間統計データを記憶し、
前記管理部は、前記時間統計データに基づいて、所定のページが表示され続けることが予測される予測時間を示す予測時間情報を生成して送信する、請求項１１に記載の管理装置。
【請求項１３】
電子ペーパーが表示している現ページを示す現ページ情報を受信する通信部を含み、
前記管理部は、前記通信部が前記現ページ情報を受信した場合、前記現ページを前記所定のページとする、請求項１１または１２に記載の管理装置。
【請求項１４】
ページを含むコンテンツを示すコンテンツ情報を受信する通信部を含み、
前記管理部は、前記通信部が前記コンテンツ情報を受信した場合、前記コンテンツに含まれるページを前記所定のページとする、請求項１１ないし１２に記載の管理装置。
【請求項１５】
電子ペーパーに表示されたページごとに、当該ページの次に表示されたページの情報を収集したページ統計データを記憶する記憶部と、
前記ページ統計データに基づいて、所定のページの次に表示されることが予測されるページである予測ページを示す予測ページ情報を生成して送信する管理部と、を有する管理装置と、
表示部と、
前記予測ページ情報を受信する受信部と、
前記受信部が受信した予測ページ情報に基づいて、前記表示部に表示されているページである現ページと前記現ページの次に表示されることが予測される予測ページとの差分である予測差分を求め、当該予測差分に基づいて、前記表示部をリフレッシュするか否かを判断する制御部と、を有する電子ペーパーと、を有する電子ペーパーシステム。
【請求項１６】
電子ペーパーの表示部に表示されているページである現ページと前記現ページの次に表示されることが予測される予測ページとの差分である予測差分に基づいて、前記表示部をリフレッシュするか否かを判断する、リフレッシュ制御方法。
【請求項１７】
電子ペーパーに表示されたページごとに、当該ページの次に表示されたページの情報を収集したページ統計データを記憶し、
前記ページ統計データに基づいて、所定のページの次に表示されることが予測されるページである予測ページを示す予測ページ情報を生成して送信する、リフレッシュ制御方法。
【請求項１８】
電子ペーパーの表示部に表示されているページである現ページと前記現ページの次に表示されることが予測される予測ページとの差分である予測差分に基づいて、前記表示部をリフレッシュするか否かを判断する手順をコンピュータに実行させるためのプログラム。
【請求項１９】
電子ペーパーに表示されたページごとに、当該ページの次に表示されたページの情報を収集したページ統計データを記憶する手順と、
前記ページ統計データに基づいて、所定のページの次に表示されることが予測されるページである予測ページを示す予測ページ情報を生成して送信する手順と、をコンピュータに実行させるためのプログラム。
【発明の詳細な説明】
【技術分野】
【０００１】
本発明は、電子ペーパー、管理装置、電子ペーパーシステム、リフレッシュ制御方法およびプログラムに関する。
【背景技術】
【０００２】
情報を表示する端末として、電気的に情報を表示し、その情報を電力を用いずに表示し続けることが可能な電子ペーパーが知られている。電子ペーパーは、一般的に、タブレット型のＰＣ（Personal Computer）などと比べると、消費電力が低いことや、軽量であることなどから注目されている（特許文献１参照）。
【０００３】
しかしながら、電子ペーパーは、表示画面を更新すると、更新前の表示画面が更新後の表示画面に影響を与えてしまい、表示画面の画質が劣化することがある。このため、電子ペーパーは、通常、表示画面を予め設定された回数更新するたびに、更新前の表示画面の影響を打ち消すためのリフレッシュと呼ばれる動作を行っている。なお、リフレッシュは、具体的には、表示情報の白黒を反転させる動作などである。
【先行技術文献】
【特許文献】
【０００４】
【特許文献１】特開２０１２−１３７９２９号公報
【発明の概要】
【発明が解決しようとする課題】
【０００５】
電子ペーパーにおいて、上記のような表示画面の更新に起因する画質の劣化は、表示画面に応じて異なる。このため、表示画面を予め設定された回数更新するたびにリフレッシュが行われると、画質が良い場合にリフレッシュが行われたり、画質が悪い場合でもリフレッシュが行われなかったりしてしまう。
【０００６】
本発明は、上記の問題を鑑みてなされたものであり、適切なタイミングでリフレッシュを行うことが可能な電子ペーパー、管理装置、電子ペーパーシステム、リフレッシュ制御方法およびプログラムを提供すること目的とする。
【課題を解決するための手段】
【０００７】
本発明による電子ペーパーは、
表示部と、
前記表示部に表示されているページである現ページと前記現ページの次に表示されることが予測される予測ページとの差分である予測差分に基づいて、前記表示部をリフレッシュするか否かを判断する制御部と、を有する。
【０００８】
また、本発明による管理装置は、
電子ペーパーに表示されたページごとに、当該ページの次に表示されたページの情報を収集したページ統計データを記憶する記憶部と、
前記ページ統計データに基づいて、所定のページの次に表示されることが予測されるページである予測ページを示す予測ページ情報を生成して送信する管理部と、を有する
【０００９】
また、本発明による電子ペーパーシステムは、
電子ペーパーに表示されたページごとに、当該ページの次に表示されたページの情報を収集したページ統計データを記憶する記憶部と、
前記ページ統計データに基づいて、所定のページの次に表示されることが予測されるページである予測ページを示す予測ページ情報を生成して送信する管理部と、を有する管理装置と、
表示部と、
前記予測ページ情報を受信する受信部と、
前記受信部が受信した予測ページ情報に基づいて、前記表示部に表示されているページである現ページと前記現ページの次に表示されることが予測される予測ページとの差分である予測差分を求め、当該予測差分に基づいて、前記表示部をリフレッシュするか否かを判断する制御部と、を有する電子ペーパーと、を有する。
【００１０】
また、本発明による第１のリフレッシュ制御方法は、
電子ペーパーの表示部に表示されているページである現ページと前記現ページの次に表示されることが予測される予測ページとの差分である予測差分に基づいて、前記表示部をリフレッシュするか否かを判断する。
【００１１】
また、本発明による第２のリフレッシュ制御方法は、
電子ペーパーに表示されたページごとに、当該ページの次に表示されたページの情報を収集したページ統計データを記憶し、
前記ページ統計データに基づいて、所定のページの次に表示されることが予測されるページである予測ページを示す予測ページ情報を生成して送信する。
【００１２】
また、本発明による第１のプログラムは、
電子ペーパーの表示部に表示されているページである現ページと前記現ページの次に表示されることが予測される予測ページとの差分である予測差分に基づいて、前記表示部をリフレッシュするか否かを判断する手順をコンピュータに実行させる
【００１３】
また、本発明による第２のプログラムは、
電子ペーパーに表示されたページごとに、当該ページの次に表示されたページの情報を収集したページ統計データを記憶する手順と、
前記ページ統計データに基づいて、所定のページの次に表示されることが予測されるページである予測ページを示す予測ページ情報を生成して送信する手順と、をコンピュータに実行させる。
【発明の効果】
【００１４】
本発明によれば、適切なタイミングでリフレッシュを行うことが可能になる。
【図面の簡単な説明】
【００１５】
【図１】本発明の第１の実施形態の電子ペーパーシステムの構成を示す図である
【図２】本発明の第１の実施形態の電子ペーパーシステムの動作の一例を説明するためのフローチャートである。
【図３】本発明の第２の実施形態の電子ペーパーの構成を示す図である
【図４】本発明の第２の実施形態の電子ペーパーの動作の一例を説明するためのフローチャートである。
【発明を実施するための形態】
【００１６】
以下、本発明の実施形態について図面を参照して説明する。なお、以下の説明では、同じ機能を有するものには同じ符号を付け、その説明を省略する場合がある。
【００１７】
図１は、本発明の第１の実施形態の電子ペーパーシステムの構成を示す図である。図１において電子ペーパーシステムは、サーバー１と、電子ペーパー２とを有する。なお、図１では、電子ペーパー２は１つだけ示されているが、実際には複数あってもよい。
【００１８】
サーバー１および電子ペーパー２は互いに通信可能である。サーバー１は、電子ペーパー２を管理する管理装置であり、電子ペーパー２は、種々の情報を表示する端末である。以下では、電子ペーパー２にて表示可能な情報をページと称する。ページは、例えば、電子書籍のようなコンテンツに含まれる各ページや、ＷＥＢページなどである。
【００１９】
サーバー１は、記憶部１１と、通信部１２と、管理部１３とを有する。
【００２０】
記憶部１１は、電子ペーパー２に表示されたページである既読ページに関する統計データを記憶する。統計データとしては、既読ページの次に表示されたページである後続ページの情報を既読ページごとに収集したページ統計データと、既読ページが表示され続けた時間である閲覧時間を収集した時間統計データとがある。
【００２１】
ページ統計データは、本実施形態では、既読ページごとに、その既読ページの次に表示されたことのある後続ページと、その後続ページが当該既読ページの次に表示された表示回数とを示すものとする。また、時間統計データは、既読ページごとに、その既読ページが表示され続けた時間を示すものとする。
【００２２】
通信部１２は、電子ペーパー２と通信を行う。例えば、通信部１２は、電子ペーパー２から、既読ページとその既読ページの次に表示された後続ページとを示す後続情報や、既読ページとその既読ページの閲覧時間を示す閲覧時間情報などを受信する。また、通信部１２は、電子ペーパー２から、コンテンツを示すコンテンツ情報や、電子ペーパー２が表示している現ページを示す現ページ情報などを受信する。
【００２３】
管理部１３は、通信部１２が受信した後続情報および閲覧時間情報に基づいて、記憶部１１に記憶された統計データを更新する。例えば、管理部１３は、ページ統計データにおいて後続情報が示す既読ページに対応する後続ページのうち、後続情報が示す後続ページの表示回数を増加させる。また、管理部１３は、時間統計データにおいて閲覧時間情報が示す既読ページに対応する閲覧時間に、閲覧時間情報が示す閲覧時間を追加する。
【００２４】
また、管理部１３は、記憶部１１に記憶された統計データに基づいて、所定のページの次に表示することが予測されるページである予測ページを示す予測ページ情報、および、所定のページが表示され続けることが予測される予測時間を示す予測時間情報を生成して電子ペーパー２に送信する。予測ページ情報および予測時間情報を生成するタイミングは、例えば、通信部１２がコンテンツ情報や現ページ情報を受信したタイミングである。
【００２５】
なお、通信部１２がコンテンツ情報を受信した場合、管理部１３は、そのコンテンツ情報が示すコンテンツに含まれるページのそれぞれを所定のページとする予測ページ情報および予測時間情報を生成する。また、通信部１２が現ページ情報を受信した場合、管理部１３は、その現ページ情報が示す現ページを所定のページとする予測ページ情報および予測時間情報を生成する。
【００２６】
予測ページ情報の生成では、管理部１３は、具体的には、記憶部１１に記憶されたページ統計データに基づいて予測ページ情報を生成する。例えば、管理部１３は、所定のページと同じ既読ページに対応する後続ページのそれぞれを予測ページとして選択し、各予測ページと、その予測ページが所定のページの次に表示される表示確率とを示す予測データを生成する。
【００２７】
例えば、コンテンツＸに含まれるページｎを既読ページとし、ページｎに対応する後続ページおよび表示回数が以下のような分布であったとする。
ページｎ＋１：Ｍ−１回
ページｎ−１：１回
この場合、ページｎ＋１の表示確率は（Ｍ−１）／Ｍとなり、ページｎ−１の表示確率は１／Ｍとなる。
【００２８】
なお、管理部１３は、ページ統計データにおいて、所定のページと同じ既読ページに対応する後続ページのうち、表示回数が最も多い後続ページを予測ページとして選択し、その予測ページを示す予測ページ情報を生成してもよい。
【００２９】
予測時間情報の生成では、管理部１３は、具体的には、記憶部１１に記憶された時間統計データに基づいて予測時間情報を生成する。例えば、管理部１３は、時間統計データにおいて、所定のページと同じ既読ページに対応する閲覧時間の統計値を予測時間として求め、その予測時間を示す予測時間情報を生成する。なお、統計値は、例えば、平均値、中央値または最大値などである。
【００３０】
電子ペーパー２は、表示部２１と、操作部２２と、通信部２３と、制御部２４とを有する。
【００３１】
表示部２１は、種々のページを表示する。具体的には、表示部２１は複数の画素を有し、各画素に対して電圧が印加されると、その電圧に応じて各画素の画素値が変化して、ページが表示される。また、表示部２１は、電力を用いずに表示したページを保持することができる。つまり、表示部２１は、ページを表示した後では、画素に電圧が印加されなくても、ページを表示し続けることができる。
【００３２】
操作部２２は、電子ペーパー２を使用するユーザにて操作され、ユーザから種々の情報や指示を受け付ける。例えば、操作部２２は、ユーザから、表示するページを変更する旨のページ変更指示を受け付ける。ページ変更指示は、変更後のページを指定する情報を含んでいてもよい。
【００３３】
通信部２３は、サーバー１と通信を行う。例えば、通信部２３は、サーバー１から、予測ページ情報および予測時間情報を受信する受信部として機能する。
【００３４】
制御部２４は、表示部２１が表示している現ページと、その次に表示する次ページとの差分である実差分に応じた電圧を印加することで、表示部２１に次ページを表示させる。より具体的には、制御部２４は、各画素における現ページの画素値と次ページの画素値の差分を実差分として求め、各画素に対して、その画素における画素値の差に応じた電圧を印加する。
【００３５】
また、制御部２４は、現ページが表示され続けた時間である閲覧時間を測定し、現ページと閲覧時間とを示す閲覧時間情報を生成してサーバー１に送信する。また、制御部２４は、現ページを既読ページとして示し、次ページを後続ページとして示す後続情報を生成してサーバー１に送信する。閲覧時間情報および後続情報を送信するタイミングは、特に限定されないが、例えば、次ページを表示したタイミングなどである。
【００３６】
また、制御部２４は、予測ページ情報および予測時間情報をサーバー１から取得するために、現ページ情報またはコンテンツ情報をサーバー１に送信する。例えば、制御部２４は、表示部２１にページを表示させた際に、その表示させたページを現ページとして示す現ページ情報をサーバー１に送信する。また、制御部２４は、表示部２１に表示させるコンテンツが選択された場合に、その選択されたコンテンツを特定するコンテンツ情報をサーバー１に送信してもよい。
【００３７】
また、制御部２４は、通信部２３が受信した予測ページ情報に基づいて、現ページと、現ページの次に表示されることが予測される予測ページとの差分である予測差分を求め、その予測差分に基づいて、表示部２１をリフレッシュするか否かを判断する。
【００３８】
具体的には、制御部２４は、先ず、表示部２１に印加した電圧の累積値を計算しておく。例えば、制御部２４は、表示部２１をリフレッシュした後で、各画素に対して印加した電圧の画素ごとの累積値を計算しておく。
【００３９】
続いて、制御部２４は、予測差分として、現ページの各画素の画素値と、予測ページ情報が示す予測ページの各画素の画素値との画素ごとの差分を求める。なお、予測ページ情報が示す予測ページが複数ある場合、制御部２４は、複数の予測ページのいずれかを、予測差分を求めるために使用する予測ページとして選択する。例えば、制御部２４は、表示確率が最も高い予測ページを選択する。
【００４０】
そして、制御部２４は、画素ごとの累積値および予測電圧に基づいて、表示部２１をリフレッシュするか否かを判断する。具体的には、各画素における累積値と予測電圧の和である予測累積値を求め、それらの予測累積値いずれかが閾値以上か否かを判断する。このとき、予測累積値のいずれかが閾値以上である場合、制御部２４は、表示部２１をリフレッシュすると判断する。
【００４１】
制御部２４は、リフレッシュすると判断した後で次ページを表示するタイミングになると、表示部２１をリフレッシュしてから次ページを表示する。
【００４２】
また、制御部２４は、表示部２１がページを表示すると、通信部２３が受信した予測時間情報が示す予測時間に応じた待機時間、スリープモードを実行してもよい。待機時間は、予測時間情報よりも短いことが望ましく、例えば、予測時間情報から、リフレッシュするか否かを判断する処理などにかかる時間を差し引いた時間などである。また、スリープモードは、省電力化などを図る目的で、電子ペーパー２に備わっているユニット（例えば、ＣＰＵ（Central Processing Unit）など）の機能を制限または停止するモードである。
【００４３】
次に本実施形態の電子ペーパーシステムの動作を説明する。図２は、電子ペーパーシステムの動作の一例を説明するためのフローチャートである。
【００４４】
電子ペーパー２の表示部２１が表示するページを更新すると、以下の動作が実行される。なお、以下では、電子ペーパー２の制御部２４は、表示部２１の各画素に印加した電圧の画素ごとの累積値を保持しているものとする。また、制御部２４は、表示部２１に表示されているページが更新するたびに、現ページ情報をサーバー１に送信するものとしている。
【００４５】
先ず、制御部２４は、表示部２１に表示されている現ページを示す現ページ情報を生成して、通信部２３を介してサーバー１に送信する（ステップＳ２０１）。サーバー１の通信部１２は、現ページ情報を受信すると、その現ページ情報を管理部１３に出力する。管理部１３は、現ページ情報を受け付けると、記憶部１１に記憶された統計データに基づいて、予測ページ情報および予測時間情報を生成して、通信部１２を介して電子ペーパー２に送信する（ステップＳ２０２）。
【００４６】
電子ペーパー２の通信部２３は、予測ページ情報および予測時間情報を受信すると、その予測ページ情報および予測時間情報を制御部２４に出力する。制御部２４は、予測ページ情報および予測時間情報を受け付けると、予測ページ情報に基づいて、表示部２１の画素ごとの予測電圧を求める（ステップ２０３）。制御部２４は、求めた予測電圧と、保持している累積値とに基づいて、表示部２１をリフレッシュするか否かを判断し、その判断結果を保持する（ステップ２０４）。
【００４７】
その後、制御部２４は、予測時間情報が示す予測時間に応じた待機時間、スリープモードを実行し、待機時間が経過すると、スリープモードを解除する。そして、制御部２４は、表示部２１に表示するページを更新するタイミングになるまで待機する（ステップＳ２０５）。表示部２１に表示するページを更新するタイミングになると、制御部２４は、保持している判断結果を確認し、表示部２１をリフレッシュするか否かを判断する（ステップＳ２０６）。なお、表示部２１に表示するページを更新するタイミングは、例えば、操作部２２がページ変更指示を受け付けたタイミングである。
【００４８】
表示部２１をリフレッシュしない場合、制御部２４は、現ページと次ページの差分である実差分に応じた電圧を求め、その電圧に基づいて累積値を更新する。（ステップＳ２０７）。そして、制御部は、求めた電圧を表示部２１に印加して表示部２１に次ページを表示させ（ステップＳ２０８）、ステップＳ２０１の処理に戻る。なお、次に表示する次ページは、例えば、ページ変更指示にて指定される。
【００４９】
一方、表示部２１をリフレッシュする場合、制御部２４は、表示部２１をリフレッシュするためのリフレッシュ電圧を表示部２１に印加して、表示部２１をリフレッシュし（ステップＳ２０９）、保持している累積値を初期化する（ステップＳ２１０）。そして、制御部２４は、リフレッシュ時に表示したリフレッシュ画面と次ページとの差分に応じた電圧を求め、その電圧を表示部２１に印加して表示部２１に次ページを表示させ（ステップＳ２１１）、ステップＳ２０１の処理に戻る。なお、リフレッシュ画面は、例えば、現ページの白黒反転画像などである。
【００５０】
（変形例）
以上説明した電子ペーパーシステムでは、サーバー１が現ページの閲覧時間や次ページを予測していたが、電子ペーパー２が閲覧時間や次ページを予測してもよい。例えば、電子ペーパー２の制御部２４は、表示部２１が表示したページごとに、そのページの閲覧時間と、そのページの次に表示したページの情報とを収集し、その収集結果を統計データとして生成する。そして、制御部２４は、その統計データに基づいて、予測差分や予測時間を求めて、予測ページ情報および予測時間情報を生成する。
【００５１】
以上説明したように本実施形態によれば、制御部２４は、表示部２１に表示されているページである現ページと現ページの次に表示されることが予測される予測ページとの差分である予測差分に基づいて、表示部をリフレッシュするか否かを判断する。表示されているページや表示されることが予想されるページに基づいて、表示部２１をリフレッシュするか否かを判断することが可能になるため、特許文献１に記載の技術のように定期的にリフレッシュが行われるのではなく、表示されているページや表示されることが予想されるページに応じて不定期にリフレッシュを行うことが可能になる。したがって、適切なタイミングでリフレッシュを行うことが可能になる。
【００５２】
また、本実施形態では、制御部２４は、表示部２１に印加した電圧の累積値と、予測差分に応じた電圧とに基づいて、表示部２１をリフレッシュするか否かを判断する。したがって、リフレッシュするか否かの判断に、過去に表示したページの影響をより正確に反映させることが可能になるので、より適切なタイミングでリフレッシュを行うことが可能になる。
【００５３】
また、本実施形態では、制御部２４は、画素ごとの累積値および予測電圧に基づいて、表示部２１をリフレッシュするか否かを判断する。このため、過去に表示されたページの影響を画素ごとに判断することが可能になるので、より適切なタイミングでリフレッシュを行うことが可能になる。
【００５４】
また、本実施形態では、制御部２４は、各画素における累積値と予測電圧の和のいずれかが閾値以上である場合、表示部２１をリフレッシュすると判断する。このため、過去に表示されたページの影響で画質が低下することをより正確に判断することが可能になるため、より適切なタイミングでリフレッシュを行うことが可能になる。
【００５５】
また、本実施形態では、サーバー１の記憶部１１は、電子ペーパー２に表示されたページごとに、そのページの次に表示されたページの情報を収集したページ統計データを記憶する。管理部１３は、記憶部１１に記憶されたページ統計データに基づいて、所定のページの次に表示されることが予測されるページである予測ページを示す予測ページ情報を生成して送信する。このため、実際に収集されたデータに基づいて次に表示されるページを予測できるため、より適切なタイミングでリフレッシュを行うことが可能になる。また、電子ペーパー２が次に表示されるページを予測しなくてもよくなるため、電子ペーパー２の負荷の増加を抑制することが可能になる。
【００５６】
また、電子ペーパー２の制御部２４が、表示部２１が表示したページごとに、そのページの次に表示したページの情報を収集し、その収集結果に基づいて予測差分を求めてもよい。この場合、サーバー１がなくても、適切なタイミングでリフレッシュを行うことが可能になる。
【００５７】
また、本実施形態では、制御部２４は、表示部２１がページを表示すると、そのページが表示され続けることが予測される予測時間に応じた待機時間、スリープモードを実行する。このため、電子ペーパーの省電力化などを図ることが可能になる。
【００５８】
次に本発明の第２の実施形態を説明する
図３は、本発明の第２の実施形態の電子ペーパーの構成を示すブロック図である。図３において、電子ペーパー３は、表示部３１と、制御部３２とを有する。
【００５９】
表示部３１は、ページを表示する。制御部３２は、表示部３１に表示されているページである現ページと現ページの次に表示されることが予測されるページとの差分である予測差分に基づいて、表示部をリフレッシュするか否かを判断する。
【００６０】
図４は、本発明の第２の実施形態の電子ペーパーの動作の一例を示すフローチャートである。
【００６１】
制御部３２は、表示部３１に表示されているページである現ページと現ページの次に表示されることが予測されるページとの差分である予測差分を求める（ステップＳ４０１）。続いて、制御部３２は、求めた予測差分に基づいて表示部３１をリフレッシュするか否かを判断する（ステップＳ４０２）。
【００６２】
以上説明したように本実施形態でも、制御部３２は、表示部３１に表示されているページである現ページと現ページの次に表示されることが予測されるページとの差分である予測差分に基づいて、表示部をリフレッシュするか否かを判断するため、適切なタイミングでリフレッシュを行うことが可能になる。
【００６３】
以上説明した各実施形態において、図示した構成は単なる一例であって、本発明はその構成に限定されるものではない。
【００６４】
例えば、サーバー１、電子ペーパー２および３の機能は、その機能を実現するためのプログラムを、コンピュータにて読み取り可能な記録媒体に記録して、この記録媒体に記録されたプログラムをコンピュータに読み込ませ実行させることで、実現されてもよい。
【符号の説明】
【００６５】
１  サーバー
２、３  電子ペーパー
１１  記憶部
１２、２３  通信部
１３  管理部
２１、３１  表示部
２２  操作部
２４、３２  制御部
【図１】
2015187674.tif 000003
【図２】
2015187674.tif 000004
【図３】
2015187674.tif 000005
【図４】
2015187674.tif 000006